(57)【特許請求の範囲】
【請求項１】
筐体を手で把持したときに把持した手の指が触れる筐体面に複数のセンサ領域に区分されて配置され、前記指が触れたときに、前記指が触れたことを示す検知信号を前記センサ領域毎に出力するタッチセンサと、
前記タッチセンサから出力された検知信号の数に基づいて、前記タッチセンサに触れた指の本数を判別する判別部と、を備え、
前記タッチセンサは、凹面に形成されており、かつ、前記筐体の一方の側面に配置されたメカニカルスイッチによる第１のタッチセンサと、前記筐体の他方の側面に配置された静電容量センサによる第２のタッチセンサと、を含み、前記第１のタッチセンサは親指が触れたことを示す検知信号を出力し、前記第２のタッチセンサは親指を除く前記指が触れたことを示す検知信号を前記センサ領域毎に出力し、
さらに、前記第１のタッチセンサと前記第２のタッチセンサとから出力された検知信号の数に基づいて前記判別部が判別した前記指の本数に対応付けられた処理を実行する処理実行部と、を備える、
ことを特徴とする携帯端末。
【請求項２】
前記タッチセンサに触れた指の本数と実行する処理との対応関係を予め記憶する記憶部を備え、
前記処理実行部は、前記判別部が判別した指の本数に対応する処理情報を前記記憶部から取得し、取得した処理を実行する、
ことを特徴とする請求項１に記載の携帯端末。
【請求項３】
表示部を備え、
前記処理実行部は、前記判別部が判別した前記指の本数に応じて、少なくとも電話の着信の有無、メールの着信の有無、着信した電話、メールの着信件数を前記表示部に表示させる処理、時計の表示処理、通知中の着信音の停止又はアラーム音の停止のいずれか１つを実行する、
ことを特徴とする請求項１又は２に記載の携帯端末。
【発明の詳細な説明】
【技術分野】
【０００１】
本発明は、携帯端末に関するものである。
【背景技術】
【０００２】
携帯端末として、両側面に、それぞれ、タッチセンサを備えるようにしたものがある（例えば、特許文献１参照）。
【０００３】
この携帯端末は、バッグ等に収納されたときに着信があった場合、キー操作を行わなくても、携帯端末を把持して、両側面にそれぞれ備えられたタッチセンサに指が触れることにより、着信を停止させるように構成されている。
【先行技術文献】
【特許文献】
【０００４】
【特許文献１】特開２００１−３５８８０４号公報（第１頁、図１）
【発明の概要】
【発明が解決しようとする課題】
【０００５】
しかし、このような従来の携帯端末では、両側面に、それぞれ、タッチセンサが備えられたとしても、判別するパターンは、携帯端末の筐体を把持したか否かの１つの判別パターンであり、判別パターンが１つでは、異なる複数の処理を実行することもできない。
【０００６】
本発明は、このような従来の問題点に鑑みてなされたもので、筐体を把持したときの判別パターンを増やすことが可能な携帯端末を提供することを目的とする。
【課題を解決するための手段】
【０００７】
この目的を達成するため、本発明の第１の観点に係る携帯端末は、
筐体を手で把持したときに把持した手の指が触れる筐体面に複数のセンサ領域に区分されて配置され、前記指が触れたときに、前記指が触れたことを示す検知信号を前記センサ領域毎に出力するタッチセンサと、
前記タッチセンサから出力された検知信号の数に基づいて、前記タッチセンサに触れた指の本数を判別する判別部と、を備え、
前記タッチセンサは、凹面に形成されており、かつ、前記筐体の一方の側面に配置されたメカニカルスイッチによる第１のタッチセンサと、前記筐体の他方の側面に配置された静電容量センサによる第２のタッチセンサと、を含み、前記第１のタッチセンサは親指が触れたことを示す検知信号を出力し、前記第２のタッチセンサは親指を除く前記指が触れたことを示す検知信号を前記センサ領域毎に出力し、
さらに、前記第１のタッチセンサと前記第２のタッチセンサとから出力された検知信号の数に基づいて前記判別部が判別した前記指の本数に対応付けられた処理を実行する処理実行部と、を備える、ことを特徴とする。
【発明の効果】
【０００８】
本発明によれば、筐体を把持したときの判別パターンを増やすことができる。
【図面の簡単な説明】
【０００９】
【図１】本発明の実施形態に係る携帯端末の構成を示すブロック図である。
【図２】図１に示すタッチセンサの配置例を示す図である。
【図３】図１に示す携帯端末が実行するセンサ処理を示すフローチャートである。
【発明を実施するための形態】
【００１０】
以下、本発明の実施形態に係る携帯端末を図面を参照して説明する。
本実施形態に係る携帯端末１は、図１に示すように、操作部１１と、メモリ１２と、通信制御部１３と、表示部１４と、制御部１５と、を備える。
【００１１】
この携帯端末１は、例えば、電話、メール等の通信機能を有する携帯電話機、ＰＨＳ（Personal Handyphone System）、ＰＤＡ（Personal Data Assistance，Personal Digital Assistants：個人向け携帯型情報通信機器）等である。
【００１２】
操作部１１は、ユーザが携帯端末１を操作したときの操作情報を受け付けるものであり、タッチセンサ１０１，１０２と、キー入力部１０３と、を有する。
【００１３】
タッチセンサ１０１，１０２は、携帯端末１の筐体１ａを把持したときに、把持した手の指が触れたことを検出するセンサである。
【００１４】
このタッチセンサ１０１，１０２は、例えば、静電容量センサ、圧電センサ等によって構成される。但し、ユーザが触ったか否かをより確実に検知するためには、静電容量センサを用いるのが好ましい。
【００１５】
タッチセンサ１０１，１０２は、それぞれ、図２に示すように、筐体１ａの対面する左側面と右側面とに設けられ、筐体１ａを把持した手の各指が触れやすい領域に配置される。
【００１６】
このようにタッチセンサ１０１，１０２が配置されることにより、筐体１ａを左手で把持したときは、把持した左手の親指がタッチセンサ１０１に触れ、人差し指、中指、薬指、小指がタッチセンサ１０２に触れる。
【００１７】
また、筐体１ａを右手で把持したときは、把持した右手の親指がタッチセンサ１０２に触れ、人差し指、中指、薬指、小指がタッチセンサ１０１に触れる。
【００１８】
また、誤動作防止のため、タッチセンサ１０１，１０２のいずれか一方だけに指が触れても携帯端末１は、動作しないようになっている。
【００１９】
尚、このタッチセンサ１０１，１０２は、各指が接触するだけの十分な面積を有しているものとする。
【００２０】
このタッチセンサ１０１，１０２は、それぞれ、複数のセンサ領域（図示せず）に区分されている。このようにタッチセンサ１０１，１０２が、それぞれ、複数のセンサ領域に区分されているため、触れた指の本数を判別することが可能となり、筐体１ａを把持したときの判別パターンも増える。
【００２１】
操作部１１は、タッチセンサ１０１，１０２に指が触れると、この操作情報を受け付けて、センサ領域毎に、検知信号としてオン信号を制御部１５に供給する。
【００２２】
キー入力部１０３は、テンキー等からなるものであり、図２に示す筐体１ａの前面に設けられる。このキー入力部１０３の各キーには、例えば、変形しにくい材質のものが用いられる。そして、このキー入力部１０３は、可撓性の導電部材を、このキーで押下して２つの接点を接続するメカニカルスイッチによって構成される。
【００２３】
操作部１１は、キー入力部１０３が操作されたとき、この操作情報を受け付け、受け付けた操作情報を制御部１５に供給する。
【００２４】
図１に示すメモリ１２は、携帯端末１が処理に必要なデータを格納するためのものであり、制御部１５が実行するプログラムのデータ等が記憶される。
【００２５】
このメモリ１２には、ＥＥＰＲＯＭ（Electrically Erasable Programmable Read Only Memory）等の不揮発性メモリが用いられる。
【００２６】
通信制御部１３は、制御部１５に制御されて、電話、メール等の通信処理を実行するためのものである。表示部１４は、各種情報を表示するためのものである。表示部１４には、例えば、液晶、有機ＥＬ素子（ＯＬＥＤ；Organic light-emitting diode）が用いられる。
【００２７】
制御部１５は、携帯端末１の各部を制御するためのものであり、ＣＰＵ（Central Processing Unit），ＲＯＭ（Read Only Memory），ＲＡＭ（Random Access Memory）等によって構成される。
【００２８】
制御部１５は、操作部１１から、受け付けた操作情報が供給され、この操作情報に基づいて各部を制御する。
【００２９】
制御部１５は、操作部１１から、タッチセンサ１０１，１０２に指が触れたことを示すオン信号がセンサ領域毎に供給されると、操作情報が供給されたときからの時間を計測する。このため、制御部１５は、操作情報が供給されたときからの時間を計測するタイマを備え、タイマで計測した時間Ｔと予め設定された時間Ｔsetとを比較する。
【００３０】
操作部１１からは、タッチセンサ１０１，１０２に指が触れたことを示すオン信号がセンサ領域毎に供給されるため、制御部１５は、予め設定された時間Ｔsetが経過したときに、このオン信号の数に基づいてタッチセンサ１０１，１０２に触れた指の本数を判別する。そして、制御部１５は、各部を制御して、判別した指の本数に応じて異なる処理を実行する。
【００３１】
尚、メモリ１２には、タッチセンサ１０１，１０２に触れた指の本数と実行する処理との対応関係が予め記憶され、制御部１５は、タッチセンサ１０１，１０２に触れた指の本数に対応する処理情報をメモリ１２から取得して、この処理を実行する。
【００３２】
次に本実施形態に係る携帯端末１の動作を説明する。
ユーザが携帯端末１を把持し、手の指で左側面のタッチセンサ１０１、右側面のタッチセンサ１０２の両方に触れたとき、タッチセンサ１０１，１０２がオンする。
【００３３】
操作部１１は、この操作情報を受け付けて、制御部１５に、この操作情報と触れた指の本数の情報を供給する。制御部１５は、操作部１１から、この操作情報が供給されると、タイマのタイマ値を０に初期化し、メモリ１２からセンサ処理のプログラムのデータを読み出し、図３に示すフローチャートに従って、この処理を実行する。
【００３４】
制御部１５は、タッチセンサ１０１，１０２のいずれか一方がオフしたか否かを判定する（ステップＳ１１）。
【００３５】
いずれか一方がオフと判定した場合（ステップＳ１１；Ｙｅｓ）、制御部１５は、このセンサ処理を終了させる。
【００３６】
いずれのタッチセンサ１０１，１０２もオフではない場合（ステップＳ１１；Ｎｏ）、制御部１５は、タイマのカウント値Ｔが予め設定された時間Ｔset以上になったか否かを判定する（ステップＳ１２）。
【００３７】
タイマのカウント値Ｔが予め設定された時間Ｔset未満（Ｔ＜Ｔset）の場合（ステップＳ１２；Ｎｏ）、制御部１５は、タイマのカウント値Ｔに加算値Ｔx（Ｔx＞０）を加算し（ステップＳ１３）、再び、ステップＳ１１を実行する。
【００３８】
タイマのカウント値Ｔが予め設定された時間Ｔset以上（Ｔ≧Ｔset）になった場合（ステップＳ１２；Ｙｅｓ）、制御部１５は、操作部１１から供給されたオン信号の数に基づいて、タッチセンサ１０１，１０２に触れた指の本数が２本か否かを判定する（ステップＳ１４）。
【００３９】
触れた指の本数が２本と判定した場合（ステップＳ１４；Ｙｅｓ）、制御部１５は、触れた指の本数が２本の場合の処理情報をメモリ１２から取得して処理１を実行し（ステップＳ１５）、このセンサ処理を終了させる。
【００４０】
触れた指の本数が２本ではないと判定した場合（ステップＳ１４；Ｎｏ）、制御部１５は、タッチセンサ１０１，１０２に触れた指の本数が３本か否かを判定する（ステップＳ１６）。
【００４１】
触れた指の本数が３本と判定した場合（ステップＳ１６；Ｙｅｓ）、制御部１５は、触れた指の本数が３本の場合の処理情報をメモリ１２から取得して処理２を実行し（ステップＳ１７）、このセンサ処理を終了させる。
【００４２】
触れた指の本数が３本ではないと判定した場合（ステップＳ１６；Ｎｏ）、制御部１５は、タッチセンサ１０１，１０２に触れた指の本数が４本か否かを判定する（ステップＳ１８）。
【００４３】
触れた指の本数が４本と判定した場合（ステップＳ１８；Ｙｅｓ）、制御部１５は、触れた指の本数が４本の場合の処理情報をメモリ１２から取得して処理３を実行し（ステップＳ１９）、このセンサ処理を終了させる。
【００４４】
触れた指の本数が４本ではない場合（ステップＳ１８；Ｎｏ）、制御部１５は、タッチセンサ１０１，１０２に触れた指の本数を５本と判定して、触れた指の本数が５本の場合の処理情報をメモリ１２から取得して処理４を実行し（ステップＳ２０）、このセンサ処理を終了させる。
【００４５】
次に、このセンサ処理を具体的に説明する。
ユーザが携帯端末１を左手で把持し、親指、人差し指が、それぞれ、タッチセンサ１０１，１０２に触れてから予め設定された時間Ｔsetが経過したとき（ステップＳ１２；Ｙｅｓ）、制御部１５は、タッチセンサ１０１，１０２に触れた指の本数は、２本と判定する（ステップＳ１４）。
【００４６】
この場合、制御部１５は、処理１として、例えば、表示部１４をオンする（ステップＳ１５）。表示部１４には、例えば、メニュー等が表示される。
【００４７】
さらに、ユーザの中指がタッチセンサ１０２に触れた場合、制御部１５は、触れた指の本数を３本と判定する（ステップＳ１６；Ｙｅｓ）。この場合、制御部１５は、処理２として、例えば、電話の着信の有無を表示部１４に表示させる（ステップＳ１７）。
【００４８】
さらに、ユーザの薬指がタッチセンサ１０２に触れた場合、制御部１５は、触れた指の本数を４本と判定する（ステップＳ１８；Ｙｅｓ）。この場合、制御部１５は、処理３として、例えば、メールの着信の有無を表示部１４に表示させる（ステップＳ１９）。
【００４９】
さらに、ユーザの小指がタッチセンサ１０２に触れた場合、制御部１５は、触れた指の本数を５本と判定する（ステップＳ１８；Ｎｏ）。この場合、制御部１５は、処理４として、例えば、着信したメールの件数を表示部１４に表示させる（ステップＳ２０）。
【００５０】
ユーザが、これらの表示により、各処理を判別し、発信した相手の電話に通話するようにキー入力部１０３を操作したり、メールを送信するようにキー入力部１０３を操作したり等すると、操作部１１は、この操作情報を受け付けて、受け付けた操作情報を制御部１５に供給する。
【００５１】
制御部１５は、この操作情報が供給されると、これらの通信処理を行うように通信制御部１３を制御する。そして、制御部１５は、各種情報として、通信状態を表示するように表示部１４を制御する。
【００５２】
以上説明したように、本実施形態によれば、筐体１ａの対面する左側面、右側面の指が触れやすい領域に、それぞれ、タッチセンサ１０１，１０２を配置し、タッチセンサ１０１，１０２を、それぞれ、複数のセンサ領域に区分するようにした。そして、操作部１１は、制御部１５にオン信号をセンサ領域毎に供給するようにした。
【００５３】
従って、制御部１５は、操作部１１から供給されたオン信号に基づいて指の本数を判別することが可能となり、筐体１ａを把持したときの判別パターンを増やすことができる。
【００５４】
また、制御部１５は、判別した指の本数に応じて異なる処理を行うようにしたので、ユーザがキー入力部１０３を操作しなくても把持の仕方を変えるだけで種々の処理を行うことができる。
【００５５】
尚、本発明を実施するにあたっては、種々の形態が考えられ、上記実施形態に限られるものではない。
例えば、上記実施形態では、処理１〜４を、それぞれ、表示部１４のオン、電話の着信の有無の表示、メールの着信の有無の表示、着信したメールの件数の表示とした。しかし、処理は、このものに限られるものではない。例えば、この処理は、表示を停止させる処理であってもよいし、時計の表示処理、通知中の着信音の停止又はアラームの停止等であってもよい。
【００５６】
上記実施形態では、タッチセンサ１０１，１０２に、静電容量センサを用いるものとして説明した。しかし、タッチセンサ１０１，１０２は、静電容量センサに限られるものではなく、例えば、別のセンサ、あるいは、メカニカルスイッチ等であってもよい。また、タッチセンサ１０１，１０２は、すべて同じ種類のセンサでなくてもよい。例えば、タッチセンサ１０１にメカニカルスイッチを用い、タッチセンサ１０２に静電容量センサを用いるようにしてもよい。
【００５７】
また、ユーザが指の触れる位置を判別できるように、タッチセンサ１０１，１０２を設ける領域を凹面にすることもできる。
【００５８】
携帯端末１の筐体１ａの形も、手で把持したときに指が接触する領域にタッチセンサ１０１，１０２を設けることができれば、図２に示すような形に限定されるものではない。
【００５９】
上記実施形態では、触れた指の本数を判別できるように、タッチセンサ１０１，１０２が、それぞれ、複数のセンサ領域に区分されているものとして説明した。しかし、タッチセンサ１０１，１０２に座標を設定し、この座標を利用して指が触れた位置を判別し、触れた指の本数を判別するようにしてもよい。
【００６０】
また、触れた指が、親指、人差し指、中指、薬指、小指のいずれであるかを判別し、タッチセンサ１０１，１０２に触れた指の種別と実行する処理とを対応付けて、異なる処理を実行することもできる。
【００６１】
このようにしておけば、携帯端末１を把持したときに、例えば、親指、人差し指が、それぞれ、タッチセンサ１０１，１０２に触れたときは、例えば、電話の着信の有無を表示部１４に表示させ、さらに、中指が触れたときは、メールの着信の有無を表示部１４に表示させる、という処理を実行することもできる。
【００６２】
上記実施形態では、タッチセンサ１０１，１０２は、筐体１ａの両側面に配置されるものとして説明した。しかし、いずれか一方の面のみに配置するようにしてもよい。
【符号の説明】
【００６３】
１  携帯端末
１１  操作部
１２  メモリ
１３  通信制御部
１４  表示部
１５  制御部
１０１，１０２  タッチセンサ
１０３  キー入力部
【図１】
0005476952.tif 000002
【図２】
0005476952.tif 000003
【図３】
0005476952.tif 000004